(57)【要約】【課題】  立体アニメーションを伴なうページめくり表示を、演算負荷を増加させることなく行なうことができる冊子型コンテンツ表示装置を提供する。【解決手段】  冊子型コンテンツの各ページの表示データを動画ストリームデータファイルＭＦＳとして用意する。該動画ストリームは、見開きページフレームとページめくりフレーム群ＦＰＴとを交互に配列することにより、冊子型コンテンツ５１のページを１枚ずつめくり進めてゆく様子を表すものとして構成される。そして、動画ストリーム再生制御手段により該動画ストリームデータファイルＭＦＳを、見開き画像フレームＦＯＰにて一次停止させる形で、めくり指令情報を取得する毎に、次の見開き画像フレームＦＯＰまでのページめくりフレーム群ＦＰＴを１単位として断続再生させる。【選択図】  図３
2010277457.tif 000002
【特許請求の範囲】
【請求項１】
冊子型コンテンツの表示出力先となる表示装置と、
前記冊子型コンテンツの各ページの表示データを、前記冊子型コンテンツのページめくり順に配列するとともに個々のページを見開き状態で表示する複数の見開きフレームと、前記配列上にて互いに隣接する各見開きフレーム対の間に配置され、該見開きフレーム対にて表示される一方の見開きページ状態から他方の見開きページ状態へ遷移するための立体ページめくりアニメーションを表示するページめくりフレーム群とからなる動画ストリームデータファイルとして取得するページ表示データ取得手段と、
前記冊子型コンテンツを前記表示装置に表示するための前記動画ストリームデータファイルの再生制御を司る動画ストリーム再生制御手段であって、指定された表示ページに対応する見開きフレームにて前記動画ストリームデータファイルの再生を一時停止保持する見開き表示制御手段と、前記冊子型コンテンツの前記表示装置に現在表示中の見開きページから、予め定められためくり方向に位置する次の見開きページへのめくり指令情報を取得するめくり指令情報取得手段と、前記めくり指令情報が取得されるに伴ない、現在表示中の見開きページに対応する現在見開きフレームでの一時停止保持状態を解除させ、前記めくり方向における次の見開きページに対応する次見開きフレームまで前記ページめくりフレーム群の再生を継続させた後、当該次見開きフレームにて再度一時停止保持させるページめくり制御手段とを有する動画ストリーム再生制御手段と、
を備えたことを特徴とする冊子型コンテンツ表示装置。
【請求項２】
前記ページめくり指令情報取得手段は、前記冊子型コンテンツの前記表示装置に現在表示中の見開きページから、ページ配列における順方向への次見開きページへのめくり指令情報である順方向めくり指令情報と、逆方向への次見開きページへのめくり指令情報である逆方向ページめくり指令情報との双方を取得可能とされ、
前記ページめくり再生制御手段は、前記順方向めくり指令情報が取得された場合に前記動画ストリーム再生手段に対し該順方向に位置する前記ページめくりフレーム群の順方向再生を行なわせ、前記逆方向めくり指令情報が取得された場合に前記動画ストリーム再生手段に対し該逆方向に位置する前記ページめくりフレーム群の逆方向再生を行なわせる請求項１記載の冊子型コンテンツ表示装置。
【請求項３】
前記表示装置の画面上に、前記冊子型コンテンツを見開き表示するためのコンテンツ表示領域と、該冊子型コンテンツの順方向めくり操作受付領域と逆方向めくり操作受付領域とを設定するコンテンツ表示制御手段と、
前記画面上にて、前記順方向めくり操作受付領域と逆方向めくり操作受付領域とのいずれかを選択するめくり操作受付領域選択入力するためのめくり操作受付領域選択入力手段と、
前記順方向めくり操作受付領域が選択された場合に前記順方向めくり指令情報を、前記逆方向めくり操作受付領域が選択された場合に前記逆方向めくり指令情報をそれぞれ出力するめくり指令情報出力手段と、を備える請求項２記載の冊子型コンテンツ表示装置。
【請求項４】
前記表示装置の画面上に前記動画ストリームデータファイルの再生にかかるタイムバーを、現在再生中のフレーム位置を該タイムバー上にて示すタイムカーソルとともに表示するタイムバー表示手段と、
前記タイムカーソルを前記タイムバー上にてスライド操作するためのタイムカーソル操作入力手段とを有し、
前記動画ストリーム再生制御手段は、前記タイムカーソルが前記タイムバー上をスライドするに伴ない、該タイムバー上にて前記タイムカーソルが掃引する区間に対応するフレーム群を前記動画ストリームデータファイルから順次読み出してコマ送り再生するコマ送り再生手段を含む請求項１ないし請求項３のいずれか１項に記載の記載の冊子型コンテンツ表示装置。
【請求項５】
前記動画ストリームデータファイルの早送り再生を指令するための早送り指令入力手段と、該早送り再生の解除を指令するための早送り解除指令入力手段とを有し、
前記動画ストリーム再生制御手段は、前記早送り再生の指令がない場合は、前記動画ストリームデータファイルを前記見開きフレームで一時停止させつつ再生する通常モードにより、前記早送り再生の指令があった場合は、前記動画ストリームデータファイルを前記見開きフレームで一時停止させることなく連続再生する早送りモードにより前記動画ストリームデータファイルを再生制御するとともに、前記早送り再生の解除が指令された場合は前記早送りモードから前記通常モードに復帰させる早送り再生制御手段を含む請求項１ないし請求項４のいずれか１項に記載の記載の冊子型コンテンツ表示装置。
【請求項６】
前記動画ストリームデータファイルを含む前記冊子型コンテンツのデータファイルは、ＶＭＧファイル群とＶＴＳファイル群とからなるＤＶＤ−ｖｉｄｅｏデータファイルとして構成されてなり、前記動画ストリームデータファイルは該ＤＶＤ−ｖｉｄｅｏデータにおいて前記ＶＴＳファイル群にＶＯＢファイルとして組み込まれてなり、
前記動画ストリーム再生制御手段に含まれる各構成手段の機能実現プログラムファイルが前記ＶＴＳファイル群にＩＦＯファイルとして組み込まれてなる請求項１ないし請求項５のいずれか１項に記載の冊子型コンテンツ表示装置。
【請求項７】
前記ページ表示データ取得手段は、前記ＤＶＤ−ｖｉｄｅｏデータが記録されたＤＶＤ−ｖｉｄｅｏディスクから該ＤＶＤ−ｖｉｄｅｏデータを読み取るＤＶＤ読取装置を含んで構成される請求項６記載の冊子型コンテンツ表示装置。
【請求項８】
前記ページ表示データ取得手段は、前記ＤＶＤ−ｖｉｄｅｏデータを、通信網を介して受信取得するＤＶＤ−ｖｉｄｅｏデータ受信装置を含んで構成される請求項６記載の冊子型コンテンツ表示装置。
【請求項９】
ＶＭＧファイル群とＶＴＳファイル群とからなるＤＶＤ−ｖｉｄｅｏデータファイルが、ＤＶＤ読取装置により読み取り可能に記録されたＤＶＤ−ｖｉｄｅｏディスクであって、
冊子型コンテンツの各ページの表示データを、前記冊子型コンテンツのページめくり順に配列するとともに個々のページを見開き状態で表示する複数の見開きフレームと、前記配列上にて互いに隣接する各見開きフレーム対の間に配置され、該見開きフレーム対にて表示される一方の見開きページ状態から他方の見開きページ状態へ遷移するための立体ページめくりアニメーションを表示するページめくりフレーム群とからなる動画ストリームデータファイルが前記ＶＴＳファイル群にＶＯＢファイルとして組み込まれる一方、
前記冊子型コンテンツを前記表示装置に表示するための前記動画ストリームデータファイルの再生処理を司る動画ストリーム再生制御手段であって、指定された表示ページに対応する見開きフレームにて前記動画ストリームデータファイルの再生を一時停止保持する見開き表示制御手段と、前記冊子型コンテンツの前記表示装置に現在表示中の見開きページから、予め定められためくり方向に位置する次の見開きページへのめくり指令情報を取得するめくり指令情報取得手段と、前記めくり指令情報が取得されるに伴ない、現在表示中の見開きページに対応する現在見開きフレームでの一時停止保持状態を解除させ、前記めくり方向における次の見開きページに対応する次見開きフレームまで前記ページめくりフレーム群の再生を継続させた後、当該次見開きフレームにて再度一時停止保持させるページめくり制御手段とを有する前記動画ストリーム再生制御手段の前記各構成手段を前記ＤＶＤ読取装置上にて機能実現するプログラムファイルが前記ＶＴＳファイル群にＩＦＯファイルとして組み込まれてなることを特徴とする冊子型コンテンツ表示用ＤＶＤ−ｖｉｄｅｏディスク。
【発明の詳細な説明】
【技術分野】
【０００１】
本発明は、冊子型コンテンツ表示装置及び冊子型コンテンツ表示用ＤＶＤ−ｖｉｄｅｏディスクに関するものである。
【背景技術】
【０００２】
コンピュータを用いて文書や画像ないしそれらの組み合わせからなるコンテンツ（電子情報）を表示・閲覧できるようにする装置において、コンテンツを複数のページに区切り、かつそれらページを冊子（ブック）型にまとめ、例えば使用者の操作入力に従い、ページめくり形式にて表示切替を行なうようにしたものがある。そして、冊子型コンテンツであることのリアリティを高めるために、その表示切替時に立体的なページめくりアニメーションを表示する装置の提案が多数なされている（特許文献１〜５）。
【先行技術文献】
【特許文献】
【０００３】
【特許文献１】特開２００９−２５９４０号公報
【特許文献２】特開２００６−２８５３７５号公報
【特許文献３】特開２００６−１７２４６５号公報
【特許文献４】特開平８−１０６４６９号公報
【特許文献５】ＷＯ０２／０１５０４３号公報
【発明の概要】
【発明が解決しようとする課題】
【０００４】
冊子型コンテンツにおいて興味の主体をなすのは各ページの表示内容であり、上記いずれの方式においても冊子型コンテンツのデータファイルは、各ページの静止画データの集合として構築されていた。この場合、ページめくりアニメーションは、各ページの静止画データを用いてその都度動画フレームを作成し再生するようにしていたので、データ処理量が増大する欠点があった。特に立体ページめくりアニメーションを表示する場合は、めくり途中のページ面にページ画像を三次元投影する処理が必要であり、とりわけ演算量が急増する問題がある。
【０００５】
本発明の課題は、立体アニメーションを伴なうページめくり表示を、演算負荷を増加させることなく行なうことができる冊子型コンテンツ表示装置ならびに冊子型コンテンツ表示用ＤＶＤ−ｖｉｄｅｏディスクを提供することにある。
【課題を解決するための手段及び発明の効果】
【０００６】
上記の課題を解決するために、本発明の冊子型コンテンツ表示装置は、
冊子型コンテンツの表示出力先となる表示装置と、
冊子型コンテンツの各ページの表示データを、冊子型コンテンツのページめくり順に配列するとともに個々のページを見開き状態で表示する複数の見開きフレームと、配列上にて互いに隣接する各見開きフレーム対の間に配置され、該見開きフレーム対にて表示される一方の見開きページ状態から他方の見開きページ状態へ遷移するための立体ページめくりアニメーションを表示するページめくりフレーム群とからなる動画ストリームデータファイルとして取得するページ表示データ取得手段と、
冊子型コンテンツを表示装置に表示するための動画ストリームデータファイルの再生制御を司る動画ストリーム再生制御手段であって、指定された表示ページに対応する見開きフレームにて動画ストリームデータファイルの再生を一時停止保持する見開き表示制御手段と、冊子型コンテンツの表示装置に現在表示中の見開きページから、予め定められためくり方向に位置する次の見開きページへのめくり指令情報を取得するめくり指令情報取得手段と、めくり指令情報が取得されるに伴ない、現在表示中の見開きページに対応する現在見開きフレームでの一時停止保持状態を解除させ、めくり方向における次の見開きページに対応する次見開きフレームまでページめくりフレーム群の再生を継続させた後、当該次見開きフレームにて再度一時停止保持させるページめくり制御手段とを有する動画ストリーム再生制御手段と、を備えたことを特徴とする。
【０００７】
本発明においては、冊子型コンテンツの各ページの表示データを動画ストリームデータファイルとして用意する点にある。具体的に該動画ストリームは、見開きページフレームとページめくりフレーム群とを交互に配列することにより、冊子型コンテンツのページを１枚ずつめくり進めてゆく様子を表すものとして構成される。そして、動画ストリーム再生制御手段により該動画ストリームデータファイルを、見開きフレームにて一次停止させる形で、めくり指令情報を取得する毎に、次の見開きフレームまでのページめくりフレーム群を１単位として断続再生させるようにする。これにより、動画ストリームデータファイルの１フレームをなす見開きフレームにて動画再生を一時停止させることで、冊子型コンテンツの該等ページの内容を問題なく表示できる。そして、ページめくり時にはその一時停止を解除して、該見開きフレームの続きをなす動画フレーム（ページめくりフレーム群）を次の見開きフレームまで再生することで、立体ページめくりアニメーションを表示できる。ページめくりアニメーションは、従来のようにその都度コマが作成されるのではなく、動画ストリームデータの中にフレームとして組み込まれる形で予め用意されているので、データ処理量を大幅に削減でき、しかも、１本の動画ストリーム再生の一時停止／再開を繰り返す極めて単純な制御流れにて、ページめくりアニメーションを伴なう冊子型コンテンツの閲覧表示が可能となる。
【０００８】
ページめくり指令情報取得手段は、冊子型コンテンツの表示装置に現在表示中の見開きページから、ページ配列における順方向への次見開きページへのめくり指令情報である順方向めくり指令情報と、逆方向への次見開きページへのめくり指令情報である逆方向ページめくり指令情報との双方を取得可能に構成できる。この場合、ページめくり再生制御手段は、順方向めくり指令情報が取得された場合に動画ストリーム再生手段に対し該順方向に位置するページめくりフレーム群の順方向再生を行なわせ、逆方向めくり指令情報が取得された場合に動画ストリーム再生手段に対し該逆方向に位置するページめくりフレーム群の逆方向再生を行なわせるものとして構成する。これによると、同じ動画ストリームデータファイルの順方向再生と逆方向再生とを使い分けることにより双方向のページめくり表示処理を実施でき、逆方向ページめくりのための動画ストリームデータファイルを別途用意する必要がなくなる。
【０００９】
次に、本発明の冊子型コンテンツ表示装置は、表示装置の画面上に、冊子型コンテンツを見開き表示するためのコンテンツ表示領域と、該冊子型コンテンツの順方向めくり操作受付領域と逆方向めくり操作受付領域とを設定するコンテンツ表示制御手段と、画面上にて、順方向めくり操作受付領域と逆方向めくり操作受付領域とのいずれかを選択するめくり操作受付領域選択入力するためのめくり操作受付領域選択入力手段と、順方向めくり操作受付領域が選択された場合に順方向めくり指令情報を、逆方向めくり操作受付領域が選択された場合に逆方向をそれぞれ出力するめくり指令情報出力手段とを備えるものとして構成することができる。操作受付領域は、操作受付領域選択入力手段（例えば、マウス等のポインティングデバイス）により選択可能な操作ボタンとしてもよいし、冊子型コンテンツの見開き表示されるページ領域としてもよい。操作受付領域の選択により順方向ないし逆方向のページめくり方向を直感的に決定でき、めくり指令情報出力手段により出力されるいずれかの向きのめくり指令情報がめくり指令情報取得手段により取得されることで、動画ストリーム再生制御手段によるページめくりのための動画ストリームデータファイルの再生制御にスムーズに受け渡すことができる。
【００１０】
また、本発明の冊子型コンテンツ表示装置には、表示装置の画面上に動画ストリームデータファイルの再生にかかるタイムバーを、現在再生中のフレーム位置を該タイムバー上にて示すタイムカーソルとともに表示するタイムバー表示手段と、タイムカーソルをタイムバー上にてスライド操作するためのタイムカーソル操作入力手段とを設けることができる。動画ストリーム再生制御手段は、タイムカーソルがタイムバー上をスライドするに伴ない、該タイムバー上にてタイムカーソルが掃引する区間に対応するフレーム群を動画ストリームデータファイルから順次読み出してコマ送り再生するコマ送り再生手段を含むものとして構成できる。このようにすると、動画再生用の周知のタイムバー上でカーソルをスライド操作することで、あたかも冊子の紙片をぱらぱらとめくるような感覚でページめくりアニメーションが連続的に再生され、閲覧したい目的ページを速やかに探し当てることができる。この場合、カーソルの停止保持可能な位置を見開きフレームのみに限定しておけば、素早くスライド操作を行なった場合も見開きフレームの位置にカーソルが引き込まれ、ページめくり途中の状態で画像が静止する不具合を防止することができる。
【００１１】
さらに、本発明の冊子型コンテンツ表示装置には、動画ストリームデータファイルの早送り再生を指令するための早送り指令入力手段と、該早送り再生の解除を指令するための早送り解除指令入力手段とを設けることができる。動画ストリーム再生制御手段は、早送り再生の指令がない場合は、動画ストリームデータファイルを見開きフレームで一時停止させつつ再生する通常モードにより、早送り再生の指令があった場合は、動画ストリームデータファイルを見開きフレームで一時停止させることなく連続再生する早送りモードにより動画ストリームデータファイルを再生制御するとともに、早送り再生の解除が指令された場合は早送りモードから通常モードに復帰させる早送り再生制御手段を含むものとして構成できる。すなわち、動画再生の周知の早送り機構を用いることにより、目的ページを探したりする際に有効な連続ページめくり表示を簡単に実現することができる。
【００１２】
動画ストリームデータファイルを含む冊子型コンテンツのデータファイルは、ＶＭＧ（ビデオマネジャー）ファイル群とＶＴＳ（ビデオタイトルセット）ファイル群とからなるＤＶＤ−ｖｉｄｅｏデータファイルとして構成することができる。ＤＶＤ−Ｖｉｄｅｏ（ディー  ブイ  ディー  ビデオ）とは、ＤＶＤフォーラムにより制定された、ＤＶＤに複数の映像、音声、字幕を記録する公知のアプリケーションフォーマット（規格）である。本発明にて使用する動画ストリームデータファイルは、ＶＴＳファイル群にＶＯＢファイルとして組み込むことができ、動画ストリーム再生制御手段に含まれる各構成手段の機能実現プログラムファイルをＶＴＳファイル群にＩＦＯファイルとして組み込むことができる。冊子型コンテンツのデータファイルを上記のように構成することで、一般のＤＶＤ−ｖｉｄｅｏディスクが再生できる装置であれば新たなソフトウェアを何ら追加することなく即時に冊子型コンテンツを表示・閲覧することができる。
【００１３】
ページ表示データ取得手段は、ＤＶＤ−ｖｉｄｅｏデータが記録されたＤＶＤ−ｖｉｄｅｏディスクから該ＤＶＤ−ｖｉｄｅｏデータを読み取るＤＶＤ読取装置を含んで構成することができる。
【００１４】
また、本発明の冊子型コンテンツ表示用ＤＶＤ−ｖｉｄｅｏディスクは、ＶＭＧファイル群とＶＴＳファイル群とからなるＤＶＤ−ｖｉｄｅｏデータファイルが、ＤＶＤ読取装置により読み取り可能に記録されたＤＶＤ−ｖｉｄｅｏディスクであって、
冊子型コンテンツの各ページの表示データを、冊子型コンテンツのページめくり順に配列するとともに個々のページを見開き状態で表示する複数の見開きフレームと、配列上にて互いに隣接する各見開きフレーム対の間に配置され、該見開きフレーム対にて表示される一方の見開きページ状態から他方の見開きページ状態へ遷移するための立体ページめくりアニメーションを表示するページめくりフレーム群とからなる動画ストリームデータファイルがＶＴＳファイル群にＶＯＢファイルとして組み込まれる一方、
冊子型コンテンツを表示装置に表示するための動画ストリームデータファイルの再生処理を司る動画ストリーム再生制御手段であって、指定された表示ページに対応する見開きフレームにて動画ストリームデータファイルの再生を一時停止保持する見開き表示制御手段と、冊子型コンテンツの表示装置に現在表示中の見開きページから、予め定められためくり方向に位置する次の見開きページへのめくり指令情報を取得するめくり指令情報取得手段と、めくり指令情報が取得されるに伴ない、現在表示中の見開きページに対応する現在見開きフレームでの一時停止保持状態を解除させ、めくり方向における次の見開きページに対応する次見開きフレームまでページめくりフレーム群の再生を継続させた後、当該次見開きフレームにて再度一時停止保持させるページめくり制御手段とを有する動画ストリーム再生制御手段の各構成手段をＤＶＤ読取装置上にて機能実現するプログラムファイルがＶＴＳファイル群にＩＦＯファイルとして組み込まれてなることを特徴とする。
【００１５】
本発明の冊子型コンテンツ表示装置においては、動画が関与するのはページめくり操作時のみであり、その動画再生の一時停止を利用して冊子型コンテンツのページ内容を擬似静止画的に作り出す。そして、上記の構成によると、ページめくりアニメーションを伴なう冊子型コンテンツの表示内容を、ＤＶＤ−ｖｉｄｅｏデータファイルとしてＤＶＤメディアに記録することで、汎用のＤＶＤ読取装置を用いて通常のＤＶＤ動画映像と全く同様に再生することができる。つまり、閲覧用の専用装置を用いることなく、汎用のＤＶＤ読取装置にＤＶＤ−ｖｉｄｅｏディスクをセットし、再生スタートするだけでページめくりを伴なうリアルな電子冊子（ブック）を手軽に閲覧することができる。
【００１６】
また、上記本発明の冊子型コンテンツ表示用ＤＶＤ−ｖｉｄｅｏディスクは、映像記録した普通のＤＶＤ−ｖｉｄｅｏディスクと全く同様に取り扱うことができ、汎用のＤＶＤ読取装置にセットして再生スタートするだけでページめくりを伴なうリアルな電子冊子（ブック）を手軽に閲覧することができる。つまり、閲覧用の専用装置を用いずとも、本発明の冊子型コンテンツ表示用ＤＶＤ−ｖｉｄｅｏディスクを、汎用のＤＶＤ読取装置にセットして、通常のＤＶＤ−ｖｉｄｅｏディスクと全く同様に再生開始することで、冊子型コンテンツのページをめくりながら閲覧が可能である。つまり、この構成であると、本発明の特徴部分を担う構成要素を冊子型コンテンツ表示用ＤＶＤ−ｖｉｄｅｏディスクに集約でき、その再生を担うハードウェア部分はＤＶＤプレーヤやＤＶＤレコーダなど、市販されている既存のＤＶＤ再生装置を流用できる。従って、すでにこうしたＤＶＤ再生装置を所有している利用者は、上記本発明の冊子型コンテンツ表示用ＤＶＤ−ｖｉｄｅｏディスクを入手するだけで所望の冊子型コンテンツを閲覧することができるわけである。
【００１７】
一方、ページ表示データ取得手段は、ＤＶＤ−ｖｉｄｅｏデータを、通信網を介して受信取得するＤＶＤ−ｖｉｄｅｏデータ受信装置を含んで構成することもできる。これにより、冊子型コンテンツ表示用のＤＶＤ−ｖｉｄｅｏデータを、インターネット等の通信網を介してダウンロードすることにより冊子型コンテンツを容易に再生・表示することができる。
【図面の簡単な説明】
【００１８】
【図１】本発明の冊子型コンテンツ表示システムの電気的構成の一例を示すブロック図。
【図２】図１の冊子型コンテンツ表示システムを、市販のＤＶＤプレーヤを流用して構成した場合の外観の一例を示す図。
【図３】冊子型コンテンツを表示するための動画ストリームデータの構成を、逐次的にページめくりしたときの動画再生の流れとともに説明する図。
【図４】本発明の冊子型コンテンツ表示用ＤＶＤ−ｖｉｄｅｏディスクが採用する、ＤＶＤ−ｖｉｄｅｏフォーマットのデータフォルダ構成を示す説明図。
【図５】図２の冊子型コンテンツ表示システムにおけるコンテンツ表示例の第一を示す図。
【図６】本発明の冊子型コンテンツ表示用ＤＶＤ−ｖｉｄｅｏディスクを再生したときのメニュー画面の第一表示例を示す説明図。
【図７】本発明の冊子型コンテンツ表示用ＤＶＤ−ｖｉｄｅｏディスクを再生したときのメニュー画面の第二表示例を示す説明図。
【図８】ＶＯＢファイルのデータ構造の一例を示す説明図。
【図９】図２のＤＶＤプレーヤを操作するためのリモコンの一例を示す図。
【図１０】図２の冊子型コンテンツ表示システムにおけるコンテンツ表示例の第二を示す図。
【図１１】順方向ページめくりアニメーションの表示流れを示す説明図。
【図１２】逆方向ページめくりアニメーションの表示流れを示す説明図。
【図１３】ＶＴＳファイル群の中のＩＦＯファイルに組み込まれる、動画ストリーム再生制御手段の機能実現プログラムの内容に対応したフローチャートの第一例。
【図１４】ＤＶＤ−ｖｉｄｅｏデータを、通信網を介して受信取得するようにした装置構成の一例を示すブロック図。
【図１５】冊子型コンテンツを、タイムバーカーソルにより連続的にページめくりしたときの動画再生の流れを説明する図。
【発明を実施するための形態】
【００１９】
以下、本発明の実施の形態を、添付の図面を参照して説明する。
図１は、本発明の冊子型コンテンツ表示システム１の電気的構成を示すブロック図である。コンテンツ表示システム１は、汎用のＤＶＤ再生装置（ＤＶＤプレーヤ）１ａとして構成されている。図２に示すように、冊子型コンテンツ５１の各ページの表示データを動画ストリームデータファイルとして記録したＤＶＤ−ｖｉｄｅｏディスク（冊子型コンテンツ表示用ＤＶＤ−ｖｉｄｅｏディスク）８０を装着して再生することにより、装置に接続されたテレビ装置ないしモニタからなる表示装置３０上でこれを表示・閲覧可能とするものである。
【００２０】
図３に示すように、動画ストリームデータファイルＭＦＳは、冊子型コンテンツ５１のページめくり順に配列するとともに個々のページを見開き状態で表示する複数の見開きフレームＦＯＰ（‥，ＦＯＰｊ，ＦＯＰｊ＋１，ＦＯＰｊ＋２，ＦＯＰｊ＋３，‥）と、配列上にて互いに隣接する各見開きフレーム対（図では、（ＦＯＰｊ，ＦＯＰｊ＋１）、（ＦＯＰｊ＋１，ＦＯＰｊ＋２）、（ＦＯＰｊ＋２，ＦＯＰｊ＋３）、‥：以下、（ＦＯＰｊ，ＦＯＰｊ＋１）で代表させる）間に配置され、該見開きフレーム対ＦＯＰｊ，ＦＯＰｊ＋１にて表示される状態から他方の見開きページＦＯＰｊ＋１状態へ遷移するための立体ページめくりアニメーションを表示するページめくりフレーム群ＦＰＴ（‥，ＦＰＴｊ，ＦＰＴｊ＋１，ＦＰＴｊ＋２，ＦＰＴｊ＋３，‥）とからなる。
【００２１】
一方、ＤＶＤ再生装置１ａは、ＤＶＤ再生装置１ａにてＤＶＤ−ｖｉｄｅｏディスク８０に記録されている動画ストリームデータファイルＭＦＳの再生処理を実行することで、図２に示すごとく、冊子型コンテンツ５１を表示装置３０に表示する。動画ストリームデータファイルＭＦＳは、ＤＶＤ−ｖｉｄｅｏフォーマットに規定されたコマンド群を用いてＤＶＤ−ｖｉｄｅｏディスク８０上にマクロ的に記述された再生制御プログラム（動画ストリーム再生制御手段の機能実現プログラムである）をＤＶＤ再生装置１ａ側で解釈・実行することにより、当該再生制御プログラムの流れに従って制御される。従って、ＤＶＤ再生装置１ａには、後述のごとく、ＤＶＤ−ｖｉｄｅｏディスク８０に記録された圧縮動画ストリームデータファイルのデコード処理や、ディスク内のデータ構造及び再生制御プログラムコマンドの解釈と、個々のコマンドに対応するハードウェア制御モジュールを実行するためのソフトウェアないしハードウェアロジックが搭載されている。
【００２２】
上記の再生制御プログラムの記述内容は本発明の冊子型コンテンツ表示用ＤＶＤ−ｖｉｄｅｏディスク８０に特有のものであり、図３において、再生制御プログラム動画ストリームデータファイルＭＦＳの再生を一時停止保持する見開き表示制御手段と、冊子型コンテンツ５１の表示装置３０に現在表示中の見開きページＦＯＰｊ＋１から、予め定められためくり方向に位置するへのめくり指令情報を取得するめくり指令情報取得手段と、めくり指令情報が取得されるに伴ない、に対応する現在見開きフレームＦＯＰｊ＋１での一時停止保持状態を解除させ、めくり方向におけるに対応する次見開きフレームＦＯＰｊ＋２までページめくりフレーム群ＦＰＴｊ＋２の再生を継続させた後、当該次見開きフレームＦＯＰｊ＋２にて再度一時停止保持させるページめくり制御手段の各構成手段を機能実現するものである。
【００２３】
前述のごとく、この再生制御プログラムは、一般のＤＶＤ−ｖｉｄｅｏディスク（例えば、映画やドラマなどのエンタテインメント映像を記録したディスクや、テレビ番組ないしホームビデオなどの録画映像を記録したディスク）に記録されている再生制御プログラムと同様に、ＤＶＤ−ｖｉｄｅｏフォーマットに規定されたコマンド群を用いて記述されている。従って、本発明の冊子型コンテンツ表示用ＤＶＤ−ｖｉｄｅｏディスク８０は、上記一般のＤＶＤ−ｖｉｄｅｏディスクと同様に、特に新たなアプリケーションソフトウェアやハードウェアの追加を行なわずとも、汎用（市販）のＤＶＤ再生装置１ａにて直ちに再生が可能なものである。
【００２４】
図４に示すＤＶＤ−ｖｉｄｅｏディスク８０には、ＶＭＧ（Ｖｉｄｅｏ  Ｍａｎａｇｅｒ）ファイル群１８０ａとＶＴＳ（Ｖｉｄｅｏ  Ｔｉｔｌｅ  Ｓｅｔ）ファイル群１８０ｂとからなるＤＶＤ−ｖｉｄｅｏデータファイル８０ｄが記録されている。動画ストリームデータファイルＭＦＳは、ＶＴＳファイル群１８０ｂにＶＯＢファイルとして組み込むまれ（図４においては、具体的には、ＶＴＳ＿０１＿１．ＶＯＢ）、再生制御プログラム（動画ストリーム再生制御手段に含まれる各構成手段の機能実現プログラムファイル）は、ＶＴＳファイル群１８０ｂにＩＦＯファイルとして組み込まれる（図４においては、具体的には、ＶＴＳ＿０１＿０．ＩＦＯ）。
【００２５】
ＶＭＧファイル群１８０ａはディスク全体の制御に関与するものであり、
ＶＩＤＥＯ＿ＴＳ．ＩＦＯ
ＶＩＤＥＯ＿ＴＳ．ＶＯＢ
ＶＩＤＥＯ＿ＴＳ．ＢＵＰ
の３つのファイルを含む。また、ＶＴＳファイル群１８０ｂは、実際の映像などの実データや各タイトルの制御に関与するものであり、
ＶＴＳ＿＃＃＿＊．ＩＦＯ
ＶＴＳ＿＃＃＿＊．ＶＯＢ
ＶＴＳ＿＃＃＿＊．ＢＵＰ
の３種のファイルを含む（「＃＃」には０１〜９９まで、＊には０〜９（０はタイトル制御情報ファイル）までのファイルを割り振ることが可能である）。
【００２６】
各ファイルの識別子は次の意味を持つ。
ＩＦＯ：制御情報ファイルであることを意味し、音声、字幕の選択やチャプタ情報などが記述される（ナビゲーションデータともいう）。
ＶＯＢ：映像や音声、字幕など実際のデータが入っているファイルであることを意味する。具体的なデータ形式は、映像についてはＭＰＥＧ−２又はＭＰＥＧ−１であり、音声についてはＷＡＶＥまたはＡＣ３であり、字幕はＢＭＰである（プレゼンテーションデータともいう）。
ＢＵＰ：ＩＦＯファイルのバックアップファイルであることを意味する。ディスクの損傷などによりＩＦＯファイルが読み込めない場合にこのファイルを読み込むことによって再生可能にする。
【００２７】
個々のファイルは次のような内容を有する。
（ＶＭＧファイル群１８０ａ）
ＶＩＤＥＯ＿ＴＳ．ＩＦＯ：全体を制御する情報ファイル。各ＶＴＳ（タイトル）の映像情報、音声、字幕情報なども記録している。ＤＶＤを挿入時には、初めにこの情報を参照する。ここからタイトルのメニューに飛んだり、映像を再生したりしている。該ファイルの内容変更により、ＤＶＤ挿入時にメニューを表示させるのか、すぐに再生を開始するのか、などの制御を変更したりできる。
ＶＩＤＥＯ＿ＴＳ．ＶＯＢ：タイトルメニューの映像、音声などが入っている実データファイル。ＶＩＤＥＯ＿ＴＳ．ＩＦＯによって制御されている。映画ならば、警告画像や配給元画像などがおかれていることが多い。またファイル自体が存在しないこともある。
ＶＩＤＥＯ＿ＴＳ．ＢＵＰ：ＶＩＤＥＯ＿ＴＳ．ＩＦＯのバックアップファイル。
【００２８】
本発明においては、例えば、１枚のＤＶＤ−ｖｉｄｅｏディスクに１つの冊子型コンテンツのみを収録することもできるし、複数の冊子型コンテンツを収録することもできる。この場合は、各タイトルは収録されている個々の冊子型コンテンツの内容を与えるものとなる。冊子型コンテンツが１タイトルのみ収録されている場合は、ＶＩＤＥＯ＿ＴＳ．ＩＦＯにて、メニュー画面を経由せずに、図５に示すように、冊子型コンテンツの動画ストリームデータファイルの再生処理を直ちに開始させるように制御記述することが可能である。一方、複数の冊子型コンテンツが収録されている場合は、図６に示すように、ＶＩＤＥＯ＿ＴＳ．ＩＦＯにて、収録されている冊子型コンテンツを一覧表示するメニュー画面５１Ｍを表示するように制御記述することが可能である。この場合、メニュー画面５１Ｍにて所望の冊子型コンテンツを選択し、再生開始操作入力を行なうことで、図５と同様に、選択された冊子型コンテンツの動画ストリームデータファイルの再生が開始されるようにＶＩＤＥＯ＿ＴＳ．ＩＦＯの内容が記述される。
【００２９】
また、１つの冊子型コンテンツの各章をタイトル分割してＤＶＤ−ｖｉｄｅｏディスクに収録することも可能である。この場合、ＶＩＤＥＯ＿ＴＳ．ＩＦＯは、図７に示すように、冊子型コンテンツの各章を目次形式にて一覧表示するメニュー画面５１Ｍを表示するように制御記述しておくとよい。この場合、メニュー画面５１Ｍにて所望の章を選択し、再生開始操作入力を行なうことで、冊子型コンテンツの選択された章の動画ストリームデータファイルの再生が開始されるようにＶＩＤＥＯ＿ＴＳ．ＩＦＯの内容が記述される。
【００３０】
（ＶＴＳファイル群１８０ｂ）
ＶＴＳ＿＃＃＿０．ＩＦＯ：各ＶＴＳにあるファイルでＶＴＳ内のＶＯＢファイル（映像や音声、字幕）を制御しており、ファイル記述内容に応じてセルの再生順や音声、字幕の選択、メニューボタンのリンク先などが設定可能である（ここでは、タイトル０１を制御する情報ファイルとされている）。
ＶＴＳ＿＃＃＿０．ＢＵＰ：ＶＴＳ＿０１＿０．ＩＦＯのバックアップファイル。
ＶＴＳ＿＃＃＿０．ＶＯＢ：タイトル０１のメニュー実データファイル。冊子型コンテンツの表紙の画像や、チャプタ画像、さらには音声（ページめくり音など）や字幕選択画像などが入っている。またメニュー画面上でのボタン（操作領域）ジャンプ先の情報も記述されている（つまり、図６や図７では冊子型コンテンツないし章のタイトル画像がボタンとなっており、どのボタンが選択され実行されたかに応じて、対応する動画ストリームデータファイルのどれにジャンプするかがここに記述される）。
【００３１】
ＶＴＳ＿＃＃＿１〜９．ＶＯＢ：タイトル＃＃の映像、音声、字幕の入っている実データファイル。ＶＴＳ内のＶＴＳ＿＃＃＿０．ＩＦＯによって制御されている。ファイルサイズによってＶＴＳ＿＃＃＿１．ＶＯＢからＶＴＳ＿＃＃＿９．ＶＯＢまでのファイルが存在する。＃＃はＶＴＳごとに０１から最大９９まで設定することが可能である。１ＧＢ単位に、ＶＴＳ＿０１＿１・・・ＶＴＳ＿０１＿２・・・ＶＴＳ＿０１＿３・・・と続いていく。図６や図７の複数の冊子型コンテンツないし章の個々の動画ストリームデータを与えるものである。
【００３２】
上記の実データ（ＶＯＢファイルのデータ内容）は、図８に示すように、さらに細かいセル（ｃｅｌｌ）に分けられており、固有のＶＯＢ−ＩＤ／ｃｅｌｌ−ＩＤがつけられている。具体的な構成は以下の通りである。
ＶＴＳ（タイトルセット番号）：ＶＴＳ０１＿１．ＶＯＢ  ＶＴＳ０２＿１．ＶＯＢ  などの単位。
ＰＧＣ（プログラム・チェーン）：ＶＯＢファイルの再生の条件、時間、および再生順序を制御している。ＶＭＧ内の最初のＰＧＣ名は「Ｆｉｒｓｔ  Ｐｌａｙ  ＰＧＣ」と定義されている。
ＰＴＴ（チャプタ番号）：一般的にメニューのチャプタはこの単位にジャンプしている。
ＰＧ（プログラム番号）：コマンドにより記述された再生制御プログラムの単位として使用。
ｃｅｌｌ（セル番号）：ＶＯＢ−ＩＤ／ｃｅｌｌ−ＩＤをここに指定して再生を行なう。また、セル番号には任意のＶＯＢ−ＩＤ／ｃｅｌｌ−ＩＤを指定することができる（従って、指定内容によっては、必ずしもＶＯＢ−ＩＤ／ｃｅｌｌ−ＩＤ順に再生されるというわけではない）。
【００３３】
この実施形態では、図３において、見開きページフレームＦＯＰと、その前後に隣接するいずれかのページめくりフレーム群ＦＰＴ（この実施形態では、着目している見開きページフレームＦＯＰｊの前に隣接するページめくりフレーム群ＦＰＴｊ）とが組になって１つのｃｅｌｌが構成され、再生順は当然、冊子型コンテンツのページ配列順に一致するように定められている。また、１つのセルが１つのチャプタを構成している。
【００３４】
図１に戻り、ＤＶＤ読取装置１４は、図示されないトレイに載置されたＤＶＤ−ｖｉｄｅｏディスク８０を回転駆動するとともに、回転駆動するＤＶＤ−ｖｉｄｅｏディスク８０から読み取った再生データのうち、プレゼンテーションデータ（前述のＶＯＢファイル：本編データファイルやメニューデータファイルのデータ）を再生出力部１０に出力し、ナビゲーションデータ（前述のＩＦＯファイル：再生制御プログラムのデータ）を再生制御部１５に出力する。
【００３５】
再生出力部１０は、ＤＶＤドライバ１８を介して読み込んだプレゼンテーションデータをデマルチプレクサ（ＤＥＭＵＸ）１０ａにて読み込み、当該プレゼンテーションデータから映像データや音声データ等を抽出する。オーディオデコーダ１０ｂは、抽出された音声データをデコードして音声出力装置２０に出力し、ビデオデコーダ１０ｃは抽出された動画データをデコードして表示装置３０に出力する。サブピクチャ処理部１０ｄは、サブピクチャをデコードし、サブピクチャ処理部１０ｅにてサブピクチャ画像を生成するとともに、必要に応じて画像合成制御部１０ｆにおいて、生成されたサブピクチャ画像と、ビデオデコーダ１３にてデコードされた動画とを合成して表示装置３０に出力する。
【００３６】
再生制御部１５は、ＤＶＤドライバ１８を介して読み込んだナビゲーションデータと、本体操作部１６及び受信部（受光部）１７から入力される操作信号とに基づいて、デジタルコンテンツ（プレゼンテーション）の再生シーケンスを決定し、決定した再生シーケンスにおける、再生出力部１０の再生出力動作を制御する。
【００３７】
次に、再生制御部１５には、本体操作部（操作パネル）１６及び受信部（受光部）１７が接続されており、ユーザーが、上記の本体操作部（操作パネル）１６やリモコン７０（図９）を操作することにより、再生／停止等のユーザー所望の処理を実行できる。図２において、本体操作部１６は、操作スイッチ１６として複数のプッシュスイッチ１６ａ〜１６ｈを備えており、再生／停止等を指示することができる。具体的には、１６ａが電源スイッチ、１６ｂがディスクトレーの開閉スイッチ、１６ｃ及び１６ｄがメニュー表示スイッチ、１６ｅが再生スイッチ、１６ｆが停止スイッチ、１６ｇが一時停止スイッチ、１６ｉが早送りスイッチ、１６ｈが早戻しスイッチである。いずれかの操作スイッチ１６へのプッシュ操作がなされると、その操作スイッチ１６に対応する操作信号が再生制御部１５に入力され、再生制御部１５は、この操作信号に基づいて再生出力部を制御し、デジタルコンテンツの再生／停止等を実行する。
【００３８】
他方、図９において、リモコン７０は、操作ボタン７０ａ〜７０ｚを操作することにより、対応する操作信号が赤外線リモコン信号として出力される。この赤外線リモコン信号は図１の受信部（受光部）１７に受光されるに伴い、この受光部１７からリモコン７０上で操作された操作ボタンに対応する操作信号が上記再生制御部１５に入力される。再生制御部１５は、この操作信号に基づいて再生出力部を制御し、デジタルコンテンツの再生／停止等を実行する。
【００３９】
具体的には、７０ａが電源スイッチ、７０ｂがディスクトレーの開閉スイッチ、７０ｃ及び７０ｄがメニュー表示スイッチ、７０ｅが再生スイッチ、７０ｆが停止スイッチ、７０ｇが一時停止スイッチ、７０ｉが早送りスイッチ、７０ｈ、７０ｊがスキップスイッチ（チャプタジャンプ：戻る）、７０ｋがスキップスイッチ（チャプタジャンプ：進める）である。また、リモコン７０は、表示装置３０を入力表示画面として用いるグラフィックユーザーインターフェースの位置指示入力デバイスも兼ねており、指示位置移動スイッチ７０ｚは、画面上での操作受付領域（ボタン等）の選択（カーソル移動）を行なうためのものであり、決定スイッチ７０ｘはその選択状態の確定入力を行なうためのものである。
【００４０】
以下、冊子型コンテンツ表示装置１の動作について説明する。
図２のＤＶＤ再生装置１ａの電源をＯＮとし、ディスクトレー開閉スイッチ１６ｂ又はリモコン７０のディスクトレー開閉スイッチ７０ｂを操作して、冊子型コンテンツ表示用ＤＶＤ−ｖｉｄｅｏディスク８０を装着し、再度ディスクトレー開閉スイッチを操作することで、ＤＶＤ再生装置１ａにディスク８０がロードされる。
【００４１】
ＤＶＤ再生装置１ａ側で、ディスク８０上のＶＩＤＥＯ＿ＴＳ．ＩＦＯファイルを読み込み、ここにコマンド記述されたプログラムを実行することにより、ＶＴＳ＿＃＃＿０．ＶＯＢからメニュー実データを読み込んで、図６に示すメニュー画面５１Ｍを表示する。使用者は、リモコン７０の指示位置移動スイッチ７０ｚを操作して所望のコンテンツのアイコンを選択し、決定スイッチ７０ｘを押す。すると、ＶＴＳ＿＃＃＿０．ＶＯＢの記述内容を参照して、ＶＴＳ＿＃＃＿１〜９．ＶＯＢ（動画ストリームデータファイル）のうち、アイコンに対応するものがどれであるかを特定する（例えば、ＶＴＳ＿０１＿１．ＶＯＢとする）。そして、ＶＴＳ＿０１＿０．ＩＦＯに格納されている再生制御プログラムを起動する。すると、ＶＴＳ＿０１＿１．ＶＯＢの動画ストリームデータファイルの再生が開始される。再生制御プログラムは動画ストリームデータファイルを先頭フレームから順次読み込んでゆくが、チャプタ末尾（セル末尾）の見開きフレームで自動的に一時停止がかかるように再生制御する。ファイル先頭には、コンテンツの表表紙を見開き片側にのみ表示した単独の見開きフレームからなるチャプタが配置されており、そのフレームを描画した段階ですぐに一時停止がかかる。すると、図５に示すような画面が表示される。画面上には、順方向めくり操作受付領域をなす順方向めくりボタン（次ページボタン）５２ａ、逆方向めくり操作受付領域をなす逆方向めくりボタン（前ページボタン）５２ｂ、ページめくりを連続的に進めるための順方向早送りボタン（早送りボタン）５２ｃ及び逆方向早送りボタン（早戻しボタン）５２ｄが表示される。さらに、動画ストリームデータファイルＭＦＳの再生にかかるタイムバー５３が、現在再生中のフレーム位置を該タイムバー５３上にて示すタイムカーソル５３ｃとともに表示される。これらのボタンないしタイムバーの表示内容も、ＶＴＳ＿０１＿０．ＩＦＯに記述される。
【００４２】
図５の状態では前ページが存在せず、順方向ページめくりのみが可能である。この状態での指示位置移動スイッチ７０ｚを操作して順方向めくりボタン５２ａを選択し、決定ボタン７０ｚを押下する。すると順方向にページがめくれ、図１０に示すような見開き表示状態となる。
【００４３】
図１１は、その状態からさらに順方向めくりボタン５２ａを押下したときの、また、図１２は同じく逆方向めくりボタン５２ｂを押下したときの、冊子型コンテンツ５１におけるページめくりアニメーションの表示例を示すものである。この実施形態では、横書き左開きの冊子を例に取り、左めくり方向が順方向ページめくり方向、右めくり方向が逆方向ページめくり方向である。従って、図中、左から右へ進む流れが順方向めくりの場合の流れを、右から左へ進む場合が逆方向めくりの場合の流れとなる。
【００４４】
順方向めくり時の場合は、図１１に示すごとく、めくり対象紙片である主ページ紙片６１Ｍは見開き状態で冊子右ページを構成し、補ページ紙片６１Ｃは左ページを構成する。補ページ紙片６１Ｃの現在表示中のページを第一ページ５１Ｌとし、主ページ紙片６１Ｍの現在表示中のページを第二ページ５１Ｒとし、該主ページ紙片６１Ｍの裏面を構成するページを第三ページ５１Ｌ’とし、第三ページ５１Ｌ’と対をなしてページめくり後の見開き状態を形成する主ページ紙片６１Ｍの下層ページを第四ページ５１Ｒ’とする。また、該主ページ紙片６１Ｍの紙片幅方向における綴じ合わせ側の縁をページ内縁とし、これと反対側の縁をページ外縁とする。
【００４５】
他方、逆方向めくり時の場合は、図１２に示すごとく、めくり対象紙片である主ページ紙片６１Ｍは見開き状態で冊子左ページを構成し、左ページを構成する紙片６１Ｃ’が補ページ紙片を構成する。補ページ紙片６１Ｃ’の現在表示中のページ５１Ｒ’が第一ページとなり、主ページ紙片６１Ｍの現在表示中のページ５１Ｌ’が第二ページとなり、該主ページ紙片６１Ｍの裏面を構成するページ５１Ｒが第三ページとなり、第三ページ５１Ｒと対をなしてページめくり後の見開き状態を形成する主ページ紙片６１Ｍの下層ページ５１Ｌが第四ページとなる。なお、いうまでもなく、縦書き右開き冊子では各紙片の配置及びめくり方向の定義は全て上記の逆となるが、本実施形態では、横書き左開き冊子における順方向めくり時の場合で代表させて説明を行なう。
【００４６】
すなわち、図１１に示す順方向めくりの場合は、ページ内縁をめくり軸線として主ページ紙片６１Ｍを第四ページ５１Ｒ’の紙面から浮き上がらせつつ第一ページ５１Ｌ上へめくり転回させる立体ページめくりアニメーションが表示され、第三ページ５１Ｌ’と第四ページ５１Ｒ’とからなるページめくり後の見開き表示状態へ切り替わる。また、図１２に示す逆方向めくりの場合は、ページ内縁をめくり軸線として主ページ紙片６１Ｍを第四ページ５１Ｌの紙面から浮き上がらせつつ第一ページ５１Ｒ’上へめくり転回させる立体ページめくりアニメーションが表示され、第三ページ５１Ｒと第四ページ５１Ｌとからなるページめくり後の見開き表示状態へ切り替わる。これらのアニメーション表示は、図３に示す同じ動画ストリームデータファイルＭＳＦの順方向再生と逆方向再生とにより実現している。なお、順方向めくりにて次ページの見開き状態に移行した場合は次ページボタン５２ａの選択状態が、逆方向めくりにて前ページの見開き状態に移行した場合は前ページボタン５２ｂの選択状態がそれぞれ保持されるボタンレジューム機能を付加しておくと、決定ボタン７０ｘを連続押下することで順方向ないし逆方向に連続的にページめくりすることができるので、便利である。
【００４７】
図１３は、再生制御プログラムの処理内容を示すフローチャートである（図１及び図２に示す本実施形態では、図中一点鎖線枠で囲ったＳ１，Ｓ１１，Ｓ１２の処理は実行されない）。すなわち、Ｓ２で次ページボタン５２ａが押された場合はＳ２１に進んで次のチャプタのフレーム群を順方向再生し、そのチャプタの最終フレームにたどり着けばＳ１０１に進んで一時停止する。図３を用いて説明すると、現在表示中（つまり、一時停止中）のフレームを見開きフレームＦＯＰｊ＋１（チャプタＣｐｊ＋１の最終フレーム）として、次のチャプタＣｐｊ＋２のめくりフレーム群ＦＰＴｊ＋２を順方向再生し、そのチャプタＣｐｊ＋２の最終フレームである見開きフレームＦＯＰｊ＋２にて一時停止する。これにより、図１１に示す順方向ページめくりアニメーションが１ページ分だけ再生・表示される（通常モード）。
【００４８】
また、Ｓ３で前ページボタン５２ｂが押された場合はＳ３１に進んで現在のチャプタのフレーム群を逆方向再生し、前のチャプタの最終フレームにたどり着けばＳ１０１に進んで一時停止する。図３を用いて説明すると、現在表示中（つまり、一時停止中）のフレームを見開きフレームＦＯＰｊ＋１（チャプタＣｐｊ＋１の最終フレーム）として、そのチャプタＣｐｊ＋１のめくりフレーム群ＦＰＴｊ＋１を順方向再生し、１つ前のチャプタＣｐｊの最終フレームである見開きフレームＦＯＰｊにて一時停止する。これにより、図１２に示す順方向ページめくりアニメーションが１ページ分だけ再生・表示される（通常モード）。
【００４９】
また、Ｓ４において早送りボタン５２ｃが押された場合（図２のスイッチ１６ｉないし図９のスイッチ７０ｉの押圧操作も同じ）はＳ４１に進み、見開きフレーム毎に一時停止するＳ１０１をスキップし、順方向にチャプタを連続再生する。また、Ｓ５において早戻しボタン５２ｄが押された場合（図２のスイッチ１６ｈないし図９のスイッチ７０ｈの押圧操作も同じ）はＳ５１に進み、見開きフレーム毎に一時停止するＳ１０１のステップを飛ばし、逆方向にチャプタを連続順再生する（早送りモード）。この状態で、次ページボタン５２ａないし前ページボタン５２ｂを押圧操作すると、早送りモードは解除され、通常モードに復帰する。
【００５０】
なお、上記のページめくりに伴ない、図１０のタイムバー５３上にてタイムカーソル５３ｃは、現在表示中のフレーム位置に応じてリアルタイムにその位置を変化させる。タイムカーソル５３ｃの位置から、冊子型コンテンツのどのあたりを閲覧中であるかを概略把握することができる。
【００５１】
本発明においては、冊子型コンテンツ５１の各ページの表示データを動画ストリームデータファイルＭＦＳとして用意する点に特徴がある。図３に示すように、動画ストリームは、見開きページフレームＦＯＰとページめくりフレーム群ＦＰＴとを交互に配列することにより、冊子型コンテンツ５１のページを１枚ずつめくり進めてゆく様子を表すものとして構成される。動画ストリームデータファイルＭＦＳは、見開きフレームＦＯＰにて一次停止させる形で、ページめくりが指令される毎に、次の見開きフレームＦＯＰまでのページめくりフレーム群ＦＰＴを１単位として断続再生される。見開きフレームＦＯＰにて動画再生を一時停止させることで、冊子型コンテンツ５１の該等ページの内容を問題なく表示でき、ページめくり時にはその一時停止を解除して、該見開きフレームＦＯＰの続きをなす動画フレーム（ページめくりフレーム群ＦＰＴ）を次の見開きフレームＦＯＰまで再生することで、立体ページめくりアニメーションを表示できる。つまり、ページめくりアニメーションは、従来のようにその都度コマが作成されるのではなく、動画ストリームデータの中にフレームとして組み込まれる形で予め用意されているので、データ処理量を大幅に削減でき、しかも、１本の動画ストリーム再生の一時停止／再開を繰り返す極めて単純な制御流れにて、ページめくりアニメーションを伴なう冊子型コンテンツ５１の閲覧表示が可能となるまた、同じ動画ストリームデータファイルＭＦＳの順方向再生と逆方向再生とを使い分けることにより双方向のページめくり表示処理を実施するようにしているので、逆方向ページめくりのための動画ストリームデータファイルＭＦＳを別途用意する必要がない。
【００５２】
また、動画ストリームデータファイルＭＦＳを含む冊子型コンテンツ５１のデータファイルは、ＶＭＧ（ビデオマネジャー）ファイル群とＶＴＳ（ビデオタイトルセット）ファイル群とからなるＤＶＤ−ｖｉｄｅｏデータファイルとして構成されている。そして、動画ストリームデータファイルＭＦＳは、ＶＴＳファイル群１８０ｂにＶＯＢファイルとして組み込まれ、再生制御プログラム（動画ストリーム再生制御手段に含まれる各構成手段の機能実現プログラム）のファイルをＶＴＳファイル群１８０ｂにＩＦＯファイルとして組み込まれている。冊子型コンテンツ表示装置１においては、動画が関与するのはページめくり操作時のみであり、その動画再生の一時停止を利用して冊子型コンテンツ５１のページ内容を擬似静止画的に作り出す。そして、ページめくりアニメーションを伴なう冊子型コンテンツ５１の表示内容を、ＤＶＤ−ｖｉｄｅｏデータファイルとしてＤＶＤメディアに記録することで、閲覧用の専用装置を用いることなく、汎用のＤＶＤ読取装置１４にＤＶＤ−ｖｉｄｅｏディスク８０をセットし、再生スタートするだけでページめくりを伴なうリアルな電子冊子（ブック）を手軽に閲覧することができる。
【００５３】
ＤＶＤ−ｖｉｄｅｏディスク８０は、本発明の冊子型コンテンツ表示用ＤＶＤ−ｖｉｄｅｏディスクとして構成されるが、これは映像記録した普通のＤＶＤ−ｖｉｄｅｏディスク８０と全く同様に取り扱うことができ、該ディスク８０を、汎用のＤＶＤ読取装置１４にセットして、通常のＤＶＤ−ｖｉｄｅｏディスク８０と全く同様に再生開始することで、冊子型コンテンツ５１のページをめくりながら閲覧が可能である。つまり、本発明の特徴部分を担う構成要素は冊子型コンテンツ表示用ＤＶＤ−ｖｉｄｅｏディスク８０に集約され、その再生を担うハードウェア部分はＤＶＤプレーヤやＤＶＤレコーダなど、市販されている既存のＤＶＤ再生装置を流用できる。従って、すでにこうしたＤＶＤ再生装置を所有している利用者は、上記本発明の冊子型コンテンツ表示用ＤＶＤ−ｖｉｄｅｏディスク８０を入手するだけで所望の冊子型コンテンツ５１を閲覧することができる。
【００５４】
さらに、既存のＤＶＤ再生装置のハードウェアインフラが具備している、動画ストリームデータファイルＭＦＳの早送り（ないし早戻し）再生機構を用いることにより、目的ページを探したりする際に有効な連続ページめくり表示を簡単に実現することができる。
【００５５】
次に、図１４は本発明の冊子型コンテンツ表示システム１の変形例を示すブロック図である。この構成では、再生出力部１０の主体がマイコンからなる制御部１１であり、図１の再生出力部１０のＤＥＭＵＸ１０ａ、オーディオデコーダ１０ｂ、ビデオデコーダ１０ｃ、サブピクチャ処理装置１０ｄ及び画像合成部の各ブロックを、ハードディスクドライブ１２に格納されたプレーヤーソフトウェア（例えば、Ｗｉｎｄｏｗｓ  Ｍｅｄｉａ  Ｐｌａｙｅｒ（商標名）あるいはＲｅａｌＰｌａｙｅｒ（商標名）など）及びデコーダソフトウェアにより機能実現している。再生出力部１０を含め、ハードウェア全体がパーソナルコンピュータとして構成され、インターネットルータ等で構成された通信インターフェース１３を介してインターネット１００に接続されている。
【００５６】
冊子型コンテンツのデータファイルをなすＤＶＤ−ｖｉｄｅｏデータファイルは、データ入力装置１８，１９を介してＤＶＤ−ｖｉｄｅｏディスク８０ないしＩＣメモリ（メモリーカード）９０から取得可能であるが、これらとは別にインターネット１００を介して接続されたコンテンツ配信サーバ２００からダウンロード取得することも可能となっている。また、通常のパーソナルコンピュータと同様にキーボード１６とマウス１７（ポインティングデバイス）とからなる汎用入力部を備えている。
【００５７】
冊子型コンテンツの表示形態は図１０に示すものと同様であるが、ページめくり操作はマウス１７を用いて、次ページボタン５２ａ、前ページボタン５２ｂ、早送りボタン５２ｃ及び早戻しボタン５２ｄを選択・クリックすることにより行なう。また、マウス１７は周知のドラッグ操作が可能であり、タイムバー５３上にて現在再生中のフレーム位置を示すタイムカーソル５３ｃをマウス１７によりクリック保持することにより選択し、その状態でマウスをドラッグ移動することで、タイムカーソル５３ｃをタイムバー５３上にてスライド操作することができる。タイムカーソル５３ｃがタイムバー５３上をスライドするに伴ない、該タイムバー５３上にてタイムカーソル５３ｃが掃引する区間に対応するフレーム群が動画ストリームデータファイルＭＦＳから順次読み出され、コマ送り再生される。
【００５８】
図１５に示すように、タイムバー５３上でタイムカーソル５３ｃをスライド操作することで、あたかも冊子の紙片をぱらぱらとめくるような感覚でページめくりアニメーションが連続的に再生され、閲覧したい目的ページを速やかに探し当てることができる。なお、タイムカーソル５３ｃの停止保持可能な位置を見開きフレームＦＯＰのみに限定しておけば、素早くスライド操作を行なった場合も見開きフレームＦＯＰの位置にタイムカーソル５３ｃが引き込まれ、ページめくり途中の状態で画像が静止する不具合を防止することができる。この処理も、再生制御プログラムが司るものであり、図１３においてカーソルがスライド操作（ドラッグ）されたかどうかを最初にＳ１にて確認し、操作されていれば、ボタン操作等によるページめくり処理へ進まずにＳ１１へ分岐し、タイムカーソル５３ｃが示すタイムスタンプ位置をリードして、Ｓ１２で、そのタイムスタンプに対応するフレームにジャンプし、表示を行なう。マウスによるカーソルのドラッグ操作が中止されるまで、Ｓ１→Ｓ１１，Ｓ１２の処理は繰り返し継続され、図１５に示す連続ページめくり処理が実現する。
【符号の説明】
【００５９】
１  冊子型コンテンツ表示装置
１０  再生出力部（めくり指令情報出力手段）
１３  通信インターフェース（ＤＶＤ−ｖｉｄｅｏデータ受信装置）
１４  ＤＶＤ読取装置
１７  マウス（タイムカーソル操作入力手段）
３０  表示装置
５１  冊子型コンテンツ
７０  リモコン（めくり操作受付領域選択入力手段、早送り指令入力手段、早送り解除指令入力手段）
８０  冊子型コンテンツ表示用ＤＶＤ−ｖｉｄｅｏディスク
８０ａ  ＤＶＤ−ｖｉｄｅｏデータ（動画ストリーム再生制御手段、コンテンツ表示制御手段、タイムバー表示手段、コマ送り再生手段、早送り再生制御手段）
１８０ａ  ＶＭＧファイル群
１８０ｂ  ＶＴＳファイル群
ＦＯＰ  見開きフレーム
ＦＰＴ  ページめくりフレーム群
ＭＦＳ  動画ストリームデータファイル
【図１】
2010277457.tif 000003
【図２】
2010277457.tif 000004
【図３】
2010277457.tif 000005
【図４】
2010277457.tif 000006
【図５】
2010277457.tif 000007
【図６】
2010277457.tif 000008
【図７】
2010277457.tif 000009
【図８】
2010277457.tif 000010
【図９】
2010277457.tif 000011
【図１０】
2010277457.tif 000012
【図１１】
2010277457.tif 000013
【図１２】
2010277457.tif 000014
【図１３】
2010277457.tif 000015
【図１４】
2010277457.tif 000016
【図１５】
2010277457.tif 000017